(57)【要約】【課題】画像読み取り素子が搭載された装置のスリープモード時の省電力化を図りうる画像読み取り素子ならびにこの画像読み取り素子が搭載された画像形成装置を提供する。【解決手段】１画素が発光素子１１と受光素子１２とで構成されるとともに、所定数の画素で１チップが構成された複数のチップ２１，２２を備え、複数のチップ２１，２２のうちの一部のチップ２２に対して、他のチップ２１とは独立して通電制御が可能に構成されている。【選択図】  図４
2012060410.tif 000002
【特許請求の範囲】
【請求項１】
１画素が発光素子と受光素子とで構成されるとともに、所定数の画素で１チップが構成された複数のチップを備え、
前記複数のチップのうちの一部のチップに対して、他のチップとは独立して通電制御が可能に構成されていることを特徴とする画像読み取り素子。
【請求項２】
１画素が発光素子と受光素子とで構成されるとともに、所定数の画素で１チップが構成された複数のチップを備え、前記複数のチップのうちの一部のチップに対して、他のチップとは独立して通電制御が可能に構成されている画像読み取り素子を備えたことを特徴とする画像形成装置。
【請求項３】
前記画像読み取り素子の一部のチップは、検出用チップとしてスリープモードの解除操作の検出に用いられる請求項２に記載の画像形成装置。
【請求項４】
前記画像読み取り素子の一部のチップは、他のチップに比べて少ない画素数で構成されている請求項２または３に記載の画像形成装置。
【請求項５】
画像形成装置のスリープモード時には、前記画像読み取り素子の検出用チップのみに通電を行い、スリープモードの解除操作が検出されると、前記画像読み取り素子の他のチップにも通電を行う制御手段を備えている請求項３または４のに記載の画像形成装置。
【請求項６】
前記画像読み取り素子の検出用チップに供給する電圧の大きさを、前記スリープモード時とスリープモード解除時とで切替える電圧切替手段を備えている請求項３〜５のいずれかに記載の画像形成装置。
【請求項７】
画像読み取り時に前記画像読み取り素子の各チップによって得られた情報を本体の制御部に送信する通信手段と、
スリープモード時には、前記検出用チップからの検出信号を、前記通信手段を介することなく直接に前記本体制御部に送信するように、信号伝達経路を切替える通信切替手段と、
を備えている請求項３〜６のいずれかに記載の画像形成装置。
【請求項８】
前記画像読み取り素子の検出用チップに供給する電圧を、前記スリープモード時とスリープモード解除時とで切替える電圧切替手段を備え、前記スリープモード時とスリープモード解除時における前記電圧切替手段による前記検出用チップに供給する電圧の切替と、前記スリープモード時とスリープモード解除時における前記通信切替手段による信号伝達経路の切替は、互いに連動して行われる請求項７に記載の画像形成装置。
【請求項９】
前記スリープモードの解除操作は、自動原稿給紙装置への原稿のセット操作または自動原稿給紙装置本体の開閉操作の少なくとも一方である請求項２〜８のいずれかに記載の画像形成装置。
【発明の詳細な説明】
【技術分野】
【０００１】
この発明は、画像読み取り素子ならびにこの画像読み取り素子を用いて原稿がセットされたこと等の検出を行うコピー機、プリンタ、ＭＦＰ（Muti Function Peripherals)等の画像形成装置に関する。
【背景技術】
【０００２】
一般に、スリープ機能を有する多機能デジタル画像形成装置であるＭＦＰ等の画像形成装置では、スリープモードにおいてユーザが自動原稿給紙装置（以下、ＡＤＦという）に原稿をセットしたり、プラテンガラス上に原稿を載置して原稿読み取りを行うためにＡＤＦ本体の開閉（扉の開閉ともいう）を行うと、ユーザがコピー動作を行うものと認識されて、画像形成装置がスリープモードを解除して通常動作状態に復帰するようになっている。
【０００３】
また、前述したＡＤＦの原稿セット検出や開閉検出を、複数のチップからなる画像読み取り素子とアクチュエータにより行う画像形成装置が知られている。このような画像形成装置では、従来、スリープモード時にも通常動作時と同様に、前記画像読み取り素子全体つまり全部のチップに対して活電状態にするために電力供給を行うように構成されていた。
【０００４】
なお、特許文献１には、密着形イメージセンサを用いてローラの原稿読み取り領域外に形成されているパターンを読み取るか否かを判別することにより、密着形イメージセンサがローラに接触して読み取り可能な状態になっているか、あるいはローラが密着形イメージセンサをから下方に引き離されているかを検出できるようにした技術が提案されている。
【先行技術文献】
【特許文献】
【０００５】
【特許文献１】特開２００７−２３５８８４号公報
【発明の概要】
【発明が解決しようとする課題】
【０００６】
しかし、ＡＤＦの原稿セット検出や扉の開閉検出を画像読み取り素子とアクチュエータにより行う画像形成装置において、スリープモード時にも画像読み取り素子全体を活電状態にしていると、画像読み取り素子と本体とのシリアル通信部で比較的大きな電力が消費されてしまい、これが省電力化の障害となるという問題があった。
【０００７】
このような問題に対して、前記特許文献１に記載の技術は解決策を提供しうるものではなかった。
【０００８】
この発明は、このような実情に鑑みてなされたものであり、画像読み取り素子が搭載された装置のスリープモード時の省電力化を図ることができる画像読み取り素子、ならびにこの画像読み取り素子が搭載された画像形成装置を提供することを課題としている。
【課題を解決するための手段】
【０００９】
上記課題は、以下の手段によって解決される。
（１）１画素が発光素子と受光素子とで構成されるとともに、所定数の画素で１チップが構成された複数のチップを備え、前記複数のチップのうちの一部のチップに対して、他のチップとは独立して通電制御が可能に構成されていることを特徴とする画像読み取り素子。
（２）１画素が発光素子と受光素子とで構成されるとともに、所定数の画素で１チップが構成された複数のチップを備え、前記複数のチップのうちの一部のチップに対して、他のチップとは独立して通電制御が可能に構成されている画像読み取り素子を備えたことを特徴とする画像形成装置。
（３）前記画像読み取り素子の一部のチップは、検出用チップとしてスリープモードの解除操作の検出に用いられる前項２に記載の画像形成装置。
（４）前記画像読み取り素子の一部のチップは、他のチップに比べて少ない画素数で構成されている前項２または３に記載の画像形成装置。
（５）画像形成装置のスリープモード時には、前記画像読み取り素子の検出用チップのみに通電を行い、スリープモードの解除操作が検出されると、前記画像読み取り素子の他のチップにも通電を行う制御手段を備えている前項３または４のに記載の画像形成装置。
（６）前記画像読み取り素子の検出用チップに供給する電圧の大きさを、前記スリープモード時とスリープモード解除時とで切替える電圧切替手段を備えている前項３〜５のいずれかに記載の画像形成装置。
（７）画像読み取り時に前記画像読み取り素子の各チップによって得られた情報を本体の制御部に送信する通信手段と、スリープモード時には、前記検出用チップからの検出信号を、前記通信手段を介することなく直接に前記本体制御部に送信するように、信号伝達経路を切替える通信切替手段と、を備えている前項３〜６のいずれかに記載の画像形成装置。
（８）前記画像読み取り素子の検出用チップに供給する電圧を、前記スリープモード時とスリープモード解除時とで切替える電圧切替手段を備え、前記スリープモード時とスリープモード解除時における前記電圧切替手段による前記検出用チップに供給する電圧の切替と、前記スリープモード時とスリープモード解除時における前記通信切替手段による信号伝達経路の切替は、互いに連動して行われる前項７に記載の画像形成装置。
（９）前記スリープモードの解除操作は、自動原稿給紙装置への原稿のセット操作または自動原稿給紙装置本体の開閉操作の少なくとも一方である前項２〜８のいずれかに記載の画像形成装置。
【発明の効果】
【００１０】
前項（１）に記載の発明によれば、複数チップのうちの一部のチップに対して、他のチップとは独立して通電制御が可能に構成されているので、例えば画像形成装置のスリープモード時に、この一部のチップのみに通電し活電状態にしてスリープモードの解除操作を検出することで、画像読み取り素子の全体を通電状態とする場合に比べて、電力消費の無駄を省くことが可能となる。
【００１１】
前項（２）に記載の発明によれば、複数チップのうちの一部のチップに対して、他のチップとは独立して通電制御が可能に構成された画像読み取り素子が用いられているので、例えば画像形成装置のスリープモード時に、この一部のチップのみに通電し活電状態にしておきスリープモードの解除操作を検出することで、消費電力の無駄をなくした節電効果の高い画像形成装置となし得る。
【００１２】
前項（３）に記載の発明によれば、画像読み取り素子を構成している複数チップうちの一部のチップを検出用チップとしてスリープモードの解除操作を検出するので、画像形成装置のスリープモード時に検出用チップのみを活電状態にすればよく、電力消費が有効に抑制される。
【００１３】
前項（４）に記載の発明によれば、前記画像読み取り素子における検出用チップが他のチップに比べて画素数が少ないので、このチップの通電時の電力消費が抑制される。
【００１４】
前項（５）に記載の発明によれば、スリープモード時には、画像読み取り素子の検出用チップのみに通電されるので、スリープモード時の無駄な電力消費をなくすことができる一方、スリープモードの解除操作が検出されると、スリープモードを解除して、前記画像読み取り素子の他のチップにも通電が行われるので、原稿画像読み取り動作に待機することができる。
【００１５】
前項（６）に記載の発明によれば、画像読み取り素子の検出用チップに供給する電圧の大きさを、スリープモード時とスリープモード解除時とで切替えることができ、さらに節電効果の高い画像形成装置となし得る。
【００１６】
前項（７）に記載の発明によれば、スリープモード時には、前記検出用チップからの検出信号は、前記通信手段を介することなく直接に前記本体制御部に送信するように、信号伝達経路が切替えられるので、検出信号を例えばシリアス通信等によることなく本体制御部に送信することができ、電力消費を低減することができる。
【００１７】
前項（８）に記載の発明によれば、スリープモード時とスリープモード解除時における電圧切替手段による前記検出用チップに供給する電圧の切替と、スリープモード時とスリープモード解除時における通信切替手段による信号伝達経路の切替は、互いに連動して行われるので、スリープモード状態への切替時あるいはスリープモードの解除時に、誤作動を生じるのを防止できる。
【００１８】
前項（９）に記載の発明によれば、自動原稿給紙装置への原稿セット操作または自動原稿給紙装置本体の開閉操作の少なくとも一方が、スリープモードの解除操作として画像読み取り素子の一部のチップにより検出される。
【図面の簡単な説明】
【００１９】
【図１】この発明の一実施形態に係る画像形成装置を示す概略構成図である。
【図２】画像形成装置における自動原稿給紙装置への原稿セット操作等を画像読み取り素子により検出する動作の説明図である。
【図３】画像読み取り素子に対する制御系の構成を示すブロック図である。
【図４】電圧切替手段を含む要部の具体的構成を示す回路図である。
【図５】画像形成装置によるコピー動作の処理の流れを示すフローチャートである。
【図６】画像読み取り素子に対する電圧の切替処理および送信切替処理の流れを示すフローチャートである。
【発明を実施するための形態】
【００２０】
以下、この発明の一実施形態を図面に基づいて説明する。
【００２１】
図１は、この発明の一実施形態に係る画像形成装置を示す概略構成図である。
【００２２】
図１において、この画像形成装置は、本体３００と、この本体３００の上部に形成されたイメージリーダ（ＩＲともいう）部２００と、このＩＲ部２００上に搭載された自動原稿給紙装置（ＡＤＦともいう）１００とを備えている。なお、１００Ａは、ＡＤＦ１００の原稿台、２００ＡはＩＲ部２００のプラテンガラスを備えた原稿載置台である。
【００２３】
前記本体３００は、周知のように給紙部５１、作像部５２、定着部５３および排紙部５４等を有している。
【００２４】
前記給紙部５１は、図示しない給紙トレイに収容された用紙を所定搬送路に送給するものである。
【００２５】
前記作像部５２は、例えば図示しない感光体や転写ベルト等を有しており、給送された用紙にトナー画像を形成するものである。
【００２６】
前記定着部５３は、用紙に転着されたトナー画像を定着するものである。
【００２７】
前記排紙部５４は、トナー画像が定着された用紙を図示しない排紙トレイに排出するものである。
【００２８】
前記ＡＤＦ１００は、原稿台１００Ａに置かれた原稿を画像読み取り位置に自動送給するものである。このＡＤＦ１００には、ＡＤＦ開閉検出部３、ＡＤＦ原稿セット検出部４、ＡＤＦジャム検出部５等が形成されるとともに、各検出部には、アクチュエータ２がそれぞれ配置されている。そして、各アクチュエータ２を介して、後述するように、画像読み取り素子１における発光および受光素子からなる画素により、ＩＲ部２００の原稿載置台２００Ａに原稿をセットするためにユーザが行うＡＤＦ本体の開閉操作（扉開閉操作ともいう）、ＡＤＦ１００への原稿セット、ＡＤＦ１００へセットされた原稿の自動搬送時のジャムの検出をそれぞれ行うように構成されている。なお、この画像形成装置は所定時間操作がないときはスリープモードに移行するスリープ機能を備え、該スリープモードにおいて、ＡＤＦ１００の扉開閉操作、ＡＤＦ１００への原稿セットのスリープモード解除操作の検出が行われると、スリープモードを解除するものとなされている。
【００２９】
図２は、前記画像読み取り素子１による検出動作の説明図である。
【００３０】
図２において、画像読み取り素子１は、複数個例えば２４個の画像読み取り用チップ２１と、画像読み取り素子１の長さ方向の一端部に形成された１個のＡＤＦ検出用のチップ２２を備えている。
【００３１】
各チップ２１、２２は、光源としての発光素子（例えばＬＥＤ）１１と受光素子（例えばＣＣＤセンサ）１２が一対で１つの画素１３が構成されるとともに、複数の画素１３を有している。この実施形態では、画像読み取り用の１個のチップ２１は３１２画素を有し、Ｒラインで２４×３１２画素＝７４８８画素を有している。従って、Ｒ、Ｇ、Ｂの３ラインで、合計２２４６４画素であり、これらの画素で原稿の画像を読み取っている。一方、ＡＤＦ１００の検出用のチップ２２は１０画素を有している。なお、この図３の例では、Ｒラインのみを図示し、ＧラインとＢラインは図示していない。
【００３２】
前記画像読み取り素子１の上面には１画素分毎にスリット孔６ａが形成されたスリット体６が配置されており、各検出部に設けられたアクチュエータ２が動作しアクチュエータの端部が横側にスライドしてＡＤＦ検出用のチップ２２におけるいずれかのスリット孔即ち画素１３を遮光することにより、受光素子１２の電圧レベルが変化し、その電圧レベルの変化をセンサの機能として検出するようになっている。
【００３３】
この実施形態では、ＡＤＦ１００の検出用のチップ２２における端部側の３個の画素１３ａ〜１３ｃが、ＡＤＦ１００への原稿セット、ＡＤＦ１００の扉開閉操作、ＡＤＦ１００へセットされた原稿の自動搬送時のジャムをそれぞれ検出するものとなされている。即ち、例えばＡＤＦ１００に原稿がセットされると、ＡＤＦ原稿セット検出部４におけるアクチュエータ２が動作して、スリット孔６ａがアクチュエータ２によって塞がれ、対応する画素１３ａの受光素子１２の電圧レベルが変化しＯＮとなり、ＡＤＦ１００に原稿がセットされたことが検出される。同様に、ＡＤＦ１００の扉が開閉されると、ＡＤＦ扉開閉検出部３におけるアクチュエータ２が動作して、対応する画素１３ｂのスリット孔６ａがアクチュエータ２によって塞がれ、受光素子１２の電圧レベルが変化し、ＡＤＦ１００の扉開閉操作が検出される。また、ＡＤＦ１００において用紙ジャムが発生すると、ＡＤＦジャム検出部５におけるアクチュエータ２が動作して、対応する画素１３ｃのスリット孔６ａがアクチュエータ２によって塞がれ、受光素子１２の電圧レベルが変化し、用紙ジャムが検出される。図２では、ＡＤＦジャム検出部５におけるアクチュエータ２が動作して、対応する画素１３ｃのスリット孔６ａがアクチュエータ２によって塞がれた状態が示されている。
【００３４】
図３は、前記画像読み取り素子１を制御するための制御系の電気的構成を示すブロック図である。
【００３５】
図３において、この制御系は、画像読み取り素子１におけるＡＤＦ検出用チップ２２および画像読み取り用チップ２１・・・に対する電圧を切替えるための電圧切替手段３０と、画像読み取り用チップ２１・・・およびＡＤＦ検出用チップ２２に対応するアナログバッファ３１と、ＡＤＦ検出用チップ２２のみに対応するアナログバッファ３２と、アナログ・デジタル変換部３４と、アナログ・デジタル変換部３４の出力を受けるゲートアレイ３７と、ゲートアレイ３７に対する発振回路３５と、本体制御部４０からの制御信号をゲートアレイ３７に送出する入力バッファ３６と、スリープモード時にＡＤＦ検出用チップ２２に対応するアナログバッファ３２からの出力を直接、本体３００の制御部４０に送出するための送信切替手段３３と、前述した受光素子（ＣＣＤ）１２に対するセンサドライバ３８とを備えている。
【００３６】
前記ゲートアレイ３７は、スリープモード以外の時に前記アナログ・デジタル変換部３４の出力であるパラレル信号をシリアル信号に変換して前記本体３００の制御部４０に送出するパラレル・シリアル変換部３７２と、前記制御部４０からのスリープモードに移行するためのスリープ信号またはスリープモード解除のためのスリープ解除信号を受けて電圧切替信号を前記電圧切替手段３０に送出する電圧切替信号出力部３７１と、前記センサドライバ３８にコントロール信号を送るセンサコントロール部３７３とを備えている。
【００３７】
このような構成において、画像情報の取り込みを行う場合、前記本体３００からの制御信号によって画像読み取り素子１に対するコントロールが行なわれ、画像読み取り素子１の画像読み取り用チップ２１・・・及びＡＤＦ検出用チップ２２が検出したアナログ電圧は、一旦アナログバッファ３１に格納される。
【００３８】
ついで、そのアナログ電圧が前記アナログ・デジタル変換部３４で８ｂｉｔのデジタル信号に変換される。その８ｂｉｔのデジタル信号は、画像読み取り用チップ２１・・・及びＡＤＦ検出用チップ２２分のパラレルデータとなっているので、ゲートアレイ３７におけるパラレル・シリアル変換部３７２により、シリアルデータに変換され、本体３００の制御部４０に対してシリアル送信される。これにより、本体３００の制御部４０には、ＡＤＦ検出用チップ２２からの情報と画像読み取り用チップ２１・・・からの画像情報の送信が行われる。但し、このシリアル通信は、ＡＤＦ検出用チップ２２からと画像読み取り用チップ２１・・・による２２４６４画素からの８ｂｉｔデータという大容量のデータを送信するので、大きな電力が消費されることになる。
【００３９】
一方、スリープモードに移行すると、前記本体３００の制御部４０から画像読み取り素子１に対するスリープ信号が出力されると、前記ゲートアレイ３７における電圧切替信号出力部３７１から電圧切替信号が電圧切替手段３０に印加され、これにより、ＡＤＦ検出用チップ２２の各画素のみが活電状態になる。
【００４０】
電圧切替手段３０には、画像読み取り時には、「＋５Ｖ１」が入力され、スリープモード時には、「＋５Ｖ１」よりも低い電圧の「＋５Ｖ２」が印加される。
【００４１】
「＋５Ｖ１」は、ＡＤＦ検出用チップ２２と画像読み取り用チップ２１・・・の双方の画素に印加されるが、「＋５Ｖ２」は、ＡＤＦ検出用チップ２２の画素のみに印加されるようになっている。
【００４２】
なお、前記ゲートアレイ３７からの電圧切替信号は、前記送信切替手段３３にも印加されるようになっており、画像読み取り時には、ＡＤＦ検出用チップ２２からの検出用情報と、画像読み取り用チップ２１・・・で読み取られた画像情報が前記アナログ・デジタル信号に変換されて、シリアル通信によって本体３００の制御部４０に送られるが、スリープモード時には、前記電圧切替信号に基づいて、ＡＤＦ１００への原稿セット検出用画素１３ａ及びＡＤＦ１００の扉開閉操作検出用画素１３ｂからの検出信号が、前記シリアル通信を介さずに直接、本体３００の制御部４０に送給されるように制御される。
【００４３】
このように、上記構成では、スリープモード時にはＡＤＦ検出用チップ２２のみに通電されるから、スリープモード時に画像読み取り素子１の全チップに通電して画像読み取り素子１の全体を活電状態にする場合に比べて、消費電力の低減を図ることができる。
【００４４】
しかも、ＡＤＦ検出用チップ２２が画像読み取り用チップ２１・・・に比べて画素数が少ないうえ、スリープモード時にＡＤＦ検出用チップ２２へ印加される電圧「＋５Ｖ２」は、画像読み取り時の電圧「＋５Ｖ１」よりも小さいから、さらに消費電力の低減を図ることができる。
【００４５】
加えて、スリープモード時のＡＤＦ１００への原稿セット検出用画素１３ａ及びＡＤＦ１００の扉開閉操作検出用画素１３ｂからの検出信号を、本体３００の制御部４０に対してシリアル通信を介しないで送るので、益々省電力化を図ることができる。
【００４６】
また、電圧切替信号出力部３７１から出力された電圧切替信号により、スリープモード時とスリープモード解除時における電圧切替手段３０によるＡＤＦ検出用チップ２２に供給する電圧の切替と、スリープモード時とスリープモード解除時における送信切替手段３３による信号伝達経路の切替は、互いに連動して行われるので、スリープモードへの移行時あるいはスリープモードの解除時に、画像形成装置が誤作動を生じるのを防止できる。
【００４７】
図４は、電圧切替手段３０を含む要部の具体的構成を示す回路図である。
【００４８】
図４において、電圧切替手段３０は、前記ゲートアレイ３７における電圧切替信号出力部３７１からの電圧切替信号「ＨＩＧＨ」を受けた際に、それに対応する「ＨＩＧＨ」信号を受ける第１のスイッチング素子（例えばスイッチングトランジスタ）Ｑ１と、このスイッチング素子Ｑ１に接続されてた第３のイッチング素子（例えばＦＥＴ）Ｑ３と、前記「ＨＩＧＨ」信号を「ＬＯＷ」信号に反転させるインバータＴと、反転された「ＬＯＷ」信号を受ける第２のスイッチング素子（例えばスイッチングトランジスタ）Ｑ２と、この第２のスイッチング素子Ｑ２に接続された第４のスイッチング素子（例えばＦＥＴ）Ｑ４とを備えている。
【００４９】
前記第３のスイッチング素子Ｑ３は、画像読み取り素子１における画像読み取り用チップ２１・・・とＡＤＦ検出用チップ２２の双方に「＋５Ｖ１」を印加させるものであり、また、第４のスイッチング素子Ｑ４は、画像読み取り素子１におけるＡＤＦ検出用チップ２２のみに対して「＋５Ｖ２」を印加させるものである。
【００５０】
第１のスイッチング素子Ｑ１のコレクタは、電源電圧（＋５Ｖ）に対して電流制限抵抗体Ｒ１，Ｒ２の直列体を介して接続されており、また、第２のスイッチング素子Ｑ２のコレクタは、電源電圧（＋５Ｖ）に対して電流制限抵抗体Ｒ３，Ｒ４の直列体を介して接続されている。
【００５１】
なお、Ｃ１は、第３のスイッチング素子Ｑ３のゲート・ソース間に接続されたコンデンサ、Ｃ２は、第４のスイッチング素子Ｑ４のゲート・ソース間に接続されたコンデンサである。
【００５２】
また、前記ＡＤＦ検出用チップ２２の各画素１３における発光素子１１のカソードと受光素子１２のコレクタとには、前記「＋５Ｖ１」および「＋５Ｖ２」のラインとの間に介在される抵抗体Ｒ５〜Ｒ１０がそれぞれ接続されている。
【００５３】
他方、画像読み取り用チップ２１・・・の各画素１３における発光素子１１のカソードと受光素子１２のコレクタとには、前記「＋５Ｖ１」のラインとの間に介在される抵抗体Ｒ１１，Ｒ１２，Ｒ１３，Ｒ１４・・・がそれぞれに接続されている。
【００５４】
スリープモード以外の時には、電圧切替手段３０には、電圧切替信号「ＨＩＧＨ」が印加され、スイッチング素子Ｑ１がＯＮし、スイッチング素子Ｑ３もＯＮして「＋５Ｖ１」が出力され、画像読み取り素子１の全チップ即ちＡＤＦ検出用チップ２２及び画像読み取り用チップ２１・・・の全体に、「＋５Ｖ１」の電圧が印加される。
【００５５】
一方、本体３００からスリープ信号がゲートアレイ３７の電圧切替信号部３７１に入力されると、電圧切替信号部３７１から電圧切替信号として「ＬＯＷ」が出力され、インバータＴで出力が「ＨＩＧＨ」に反転し、スイッチング素子Ｑ２がＯＮし、スイッチング素子Ｑ４もＯＮして、電圧「＋５Ｖ２」が出力され、画像読み取り素子１のＡＤＦ検出用チップ２２のみに、「＋５Ｖ２」の電圧が印加される。
【００５６】
電圧切替信号が「ＬＯＷ」の場合、スイッチング素子Ｑ１がＯＮにならないので、スイッチング素子Ｑ３もＯＮせず、「＋５Ｖ１」はＯＦＦとなり、「＋５Ｖ１」と「＋５Ｖ２」の干渉は発生しない。
【００５７】
前述したように、スリープモード以外の通常の活電状態（「＋５Ｖ１」の印加状態）では、ＡＤＦ１００への原稿セット操作の検出信号及びＡＤＦの扉開閉操作の検出信号も含め、各チップ２２、２１からの情報は、ゲートアレイ３７からシリアル通信により本体３００に送信されるが、スリープモードの活電状態（ＡＤＦ検出用チップ２２に対する「＋５Ｖ２」の印加状態）では、ゲートアレイ３７のシリアル通信を使わずに、ＡＤＦ１００への原稿セット操作の検出信号及びＡＤＦの扉開閉操作の検出信号（スリープモード解除操作の検出信号）を送信切替手段３３により直接本体３００に送信している。
【００５８】
ここで、送信切替手段３３について、図４を参照して説明する。
【００５９】
図４において、前記電圧切替手段３０に関しての説明でも述べたように、スリープモード以外の時には、電圧切替手段３０には、電圧切替信号「ＨＩＧＨ」が印加される。ゲートアレイ３７に本体３００からスリープ信号が入力されると、このゲートアレイ３７の電圧切替信号部３７１から「ＬＯＷ」の電圧切替信号が出力される。その「ＬＯＷ」信号はインバータＴで反転されて「ＨＩＧＨ」信号となる。その反転された「ＨＩＧＨ」信号は、そのまま前記アナログバッファ３２のＥｎａｂｌｅ端子にも印加される。このため、アナログバッファ３２がアクティブ（「ＨＩＧＨ」アクティブ）となり、画像読み取り素子１のＡＤＦ検出用チップ２２による検出信号が直接、本体３００の制御部４０に送出されることになる。
【００６０】
また、スリープモード以外の時は、ゲートアレイ３７の電圧切替信号部３７１から電圧切替信号として「ＨＩＧＨ」信号が前記電圧切替手段３０に出力され、その「ＨＩＧＨ」信号は、そのまま前記アナログバッファ３１のＥｎａｂｌｅ端子にも印加される。このため、アナログバッファ３１がアクティブ（「ＨＩＧＨ」アクティブ）となり、画像読み取り素子１の全てのチップ２２、２１・・・からの情報がシリアル通信を介して本体３００の制御部４０に送出されることになる。
【００６１】
図５は、図１〜４の画像形成装置において、ＡＤＦ１００を用いた場合のコピー動作の処理の流れを示すフローチャートである。
【００６２】
ステップＳ１で、ユーザによりＡＤＦ１００の扉開閉操作がなされると、ステップＳ２では、ＡＤＦ扉開閉検出部３のアクチュエータ２が動作し、ステップＳ３で、ＡＤＦ検出用チップ２２の扉開閉検出用画素１３ｂ（ＡＤＦ扉開閉検出センサともいう）が前記アクチュエータ２により遮光される。
【００６３】
次いで、ステップＳ４で、ＡＤＦ扉開閉検出センサ１３ｂからの信号により前記ＡＤＦ１００の扉開閉状態を判断し、ＡＤＦ１００が開かれている場合は（ステップＳ４で「開」）、閉じられるの待ち、閉じられると（ステップＳ４で「閉」）、ステップＳ５では、原稿読み取り動作の準備が完了する。
【００６４】
ステップＳ６でＡＤＦ１００の原稿台１００Ａに原稿がセットされると、ステップＳ７で、ＡＤＦ原稿セット検出部４におけるアクチュエータが動作し、ステップＳ８では、ＡＤＦ検出用チップ２２の原稿セット検出用画素１３ａ（ＡＤＦ原稿セット検出センサともいう）が前記アクチュエータ２により遮光される。
【００６５】
ステップＳ９でスタートボタンが押されると、ステップＳ１０では、原稿セットが検出された否かを判断する。
【００６６】
原稿セットが検出されなければ（ステップＳ１０でＮＯ）、ステップＳ１９に進む。原稿セットが検出されれば（ステップＳ１０でＹＥＳ）、ステップＳ１１では、画像読み取り素子１が原稿流し読み位置に移動する。
【００６７】
ステップＳ１２では、原稿が図示しないモータによって搬送され、ＡＤＦ１００のジャム検出部５を通過すると、ステップＳ１３で、ＡＤＦジャム検出部５のアクチュエータ２が動作する。ステップＳ１４では、ＡＤＦ検出用チップ２２のジャム検出用画素１３ｃ（ＡＤＦジャム検出センサともいう）が前記アクチュエータ２により遮光されたかどうか、換言すればＡＤＦジャム検出センサがＯＮかどうかを判断する。ＡＤＦジャム検出センサがＯＮであれば（ステップＳ１４でＹＥＳ）、ジャムは生じていないから、ステップＳ１５で、ＡＤＦ１００で給紙された原稿の読み取りを開始して、ステップＳ１６に進む。
【００６８】
ＡＤＦジャム検出センサ５がＯＮでなければ（ステップＳ１４でＮＯ）、ステップＳ１８ではジャムのタイミングか否かを判断し、ジャムのタイミングでなければ（ステップＳ１８でＮＯ）、ステップＳ１４に戻る。ジャムのタイミングであれば（ステップＳ１８でＹＥＳ）、ステップＳ２３でジャム処理を行い、コピー動作をＯＦＦする。
【００６９】
つまり、ＡＤＦジャム検出センサがＯＮになる（遮光される）ことによって、原稿が通過していることを検出すれば正常動作となるが、原稿が通過していないことを検出すると、ジャムと判断する。ジャムであることの表示を行っても良い。なお、ＡＤＦ１００のジャム検出と原稿画像の読み取り作業は同時に処理される。
【００７０】
一方、ステップＳ１９では、ＩＲ部２００の原稿台２００Ａに原稿が直接置かれたか否かを判断し、ＩＲ部２００の原稿台２００Ａに原稿が直接置かれていなければ（ステップＳ１９でＮＯ）、ステップＳ９に戻る。
【００７１】
ＩＲ部２００の原稿台２００Ａに原稿が直接置かれていれば（ステップＳ１９でＹＥＳ）、ステップＳ２０では、画像読み取り素子１はシェーディング位置に移動し、ステップＳ２１でシェーディング動作を開始し、シェーディング完了後、ステップＳ２２でＩＲ部２００の原稿台２００Ａ上の原稿の読み取りが開始され、原稿の画像を読み取り、ステップＳ１６に進む。
【００７２】
ステップＳ１６では、上記いずれかの方法で原稿画像が読み取られ、その原稿画像の読み取りが完了したか否かを判断し、原稿画像の読み取りが完了しなければ（ステップＳ１６でＮＯ）、ステップＳ１６に戻る。原稿画像の読み取りが完了すれば（ステップＳ１６でＹＥＳ）、ステップＳ１７では、得られた原稿の画像情報が図示しない本体３００の制御部４０に送られ、本体３００における作像部５２等でプリントアウトされる。
【００７３】
図６は、画像読み取り素子１に対する電圧切替処理および送信切替処理の流れを示すフローチャートである。
【００７４】
図６において、ステップＳ３１では、本体３００がスリープモード（スリープ状態）か否かを判断し、スリープ状態であれば（ステップＳ３１でＹＥＳ）、ステップＳ３２では、電圧切替信号「ＬＯＷ」を出力する。
【００７５】
ステップＳ３３では、電圧切替手段３０はスリープモード時の印加電圧である「＋５Ｖ２」を出力し、ステップＳ３４では、ＡＤＦ検出用チップ２２のみが駆動されるとともに、アナログバッファ３２が選択され、ステップＳ３４では、ＡＤＦ検出用チップ２２からの信号を直接本体３００に送出する。
【００７６】
本体３００がスリープ状態ではない場合、つまり画像読み取り時であれば（ステップＳ３１でＮＯ）、ステップＳ３６で電圧切替信号「ＨＩＧＨ」を出力する。
【００７７】
ステップＳ３７では、電圧切替手段３０は画像読み取り時の印加電圧である「＋５Ｖ１」を出力し、ステップＳ３８では、ＡＤＦ検出用チップ２２及び画像読み取り用チップ２１・・・が駆動され、さらにアナログバッファ３１が選択される。ステップＳ３９では、ＡＤＦ検出用チップ２２及び画像読み取り用チップ２１・・・からの信号は、アナログバッファ３１、アナログ・デジタル変換部３４及びパラレル・シリアル変換部３７２を経てシリアル通信で本体３００に送出される。
【符号の説明】
【００７８】
１    画像読み取り素子
２    アクチュエータ
１１  発光素子
１２  受光素子
２１  画像読み取り用チップ
２２  ＡＤＦ検出用チップ
３０  電圧切替手段
３３  送信切替手段
４０  制御部
３００  本体
３７２  パラレル・シリアル変換部
【図１】
2012060410.tif 000003
【図２】
2012060410.tif 000004
【図３】
2012060410.tif 000005
【図４】
2012060410.tif 000006
【図５】
2012060410.tif 000007
【図６】
2012060410.tif 000008